(57)【要約】      （修正有）【課題】簡略な一枚構成で、多数のＲＦタグに対する情報の読み取り又は書き込み処理のための交信を確実に実行し得るフラットアンテナを提供する。【解決手段】フラットアンテナ１は、アンテナ基板２と、このアンテナ基板２上に間に間隙部６を有しつつ配置した長方形状の第１フラット導体パターン３、第２フラット導体パターン４と、第１フラット導体パターン３、第２フラット導体パターン４の端部同士を接続する接続導体パターン５と、接続導体パターン５とは反対側の第１フラット導体パターン３、第２フラット導体パターン４に設けた一対の電流供給部３ａ、４ａと、フラットアンテナ１自体のインピーダンス調整を行うカプラ部７とを有し、電流供給により第１フラット導体パターン３、第２フラット導体パターン４上に間隙部６を境界として分布する立面磁界を生成し、これらの上に配置されるＲＦタグとの間で無線交信を行う構成とした。【選択図】図１
0003148057.tif 000002
【実用新案登録請求の範囲】
【請求項１】
アンテナ基板と、このアンテナ基板上に間に間隙部を有しつつ配置した第１フラット導体パターン、第２フラット導体パターンと、第１フラット導体パターン、第２フラット導体パターンの端部同士を接続する接続導体パターンと、前記接続導体パターンとは反対側の第１フラット導体パターン、第２フラット導体パターンに設けた一対の電流供給部とを有し、
前記一対の電流供給部を経ての電流供給により前記第１フラット導体パターン、第２フラット導体パターン上に間隙部を境界として分布する立面磁界を生成し、前記第１フラット導体パターン、第２フラット導体パターン上に配置されるＲＦタグとの間で無線交信を行う構成としたことを特徴とするフラットアンテナ。
【請求項２】
アンテナ基板と、このアンテナ基板上に間に間隙部を有しつつ配置した面積が異なる長方形状の第１フラット導体パターン、第２フラット導体パターンと、第１フラット導体パターン、第２フラット導体パターンの端部同士を接続する接続導体パターンと、前記接続導体パターンとは反対側の第１フラット導体パターン、第２フラット導体パターンに設けた一対の電流供給部と、前記アンテナ基板上に配置したフラットアンテナ自体のインピーダンス調整を行うカプラ部とを有し、
前記カプラ部、一対の電流供給部を経ての電流供給により前記第１フラット導体パターン、第２フラット導体パターン上に間隙部を境界として分布する立面磁界を生成し、前記第１フラット導体パターン、第２フラット導体パターン上に配置されるＲＦタグとの間で無線交信を行う構成としたことを特徴とするフラットアンテナ。
【請求項３】
アンテナ基板と、このアンテナ基板上に間に間隙部を有しつつ配置した面積が異なる長方形状の第１フラット導体パターン、第２フラット導体パターンと、第１フラット導体パターン、第２フラット導体パターンの端部同士を接続する接続導体パターンと、前記接続導体パターンとは反対側の第１フラット導体パターン、第２フラット導体パターンに設けた一対の電流供給部と、前記アンテナ基板とは別体でフラットアンテナ自体のインピーダンス調整を行うカプラ部とを有し、
前記カプラ部、一対の電流供給部を経ての電流供給により前記第１フラット導体パターン、第２フラット導体パターン上に間隙部を境界として分布する立面磁界を生成し、前記第１フラット導体パターン、第２フラット導体パターン上に配置されるＲＦタグとの間で無線交信を行う構成としたことを特徴とするフラットアンテナ。
【請求項４】
アンテナ基板と、このアンテナ基板上に間に間隙部を有しつつ配置した同一面積で長方形状の第１フラット導体パターン、第２フラット導体パターンと、第１フラット導体パターン、第２フラット導体パターンの端部同士を接続する接続導体パターンと、前記接続導体パターンとは反対側の第１フラット導体パターン、第２フラット導体パターンに設けた一対の電流供給部と、前記アンテナ基板とは別体でフラットアンテナ自体のインピーダンス調整を行うカプラ部とを有し、
前記カプラ部、一対の電流供給部を経ての電流供給により前記第１フラット導体パターン、第２フラット導体パターン上に間隙部を境界として分布する立面磁界を生成し、前記第１フラット導体パターン、第２フラット導体パターン上に配置されるＲＦタグとの間で無線交信を行う構成としたことを特徴とするフラットアンテナ。
【請求項５】
アンテナ基板と、このアンテナ基板上に間に間隙部を有しつつ配置した同一面積で長方形状の第１フラット導体パターン、第２フラット導体パターンと、第１フラット導体パターン、第２フラット導体パターンの端部同士を接続する接続導体パターンと、前記接続導体パターンとは反対側の第１フラット導体パターン、第２フラット導体パターンに設けた一対の電流供給部と、前記アンテナ基板上に配置したフラットアンテナ自体のインピーダンス調整を行うカプラ部とを有し、
前記カプラ部、一対の電流供給部を経ての電流供給により前記第１フラット導体パターン、第２フラット導体パターン上に間隙部を境界として分布する立面磁界を生成し、前記第１フラット導体パターン、第２フラット導体パターン上に配置されるＲＦタグとの間で無線交信を行う構成としたことを特徴とするフラットアンテナ。
【請求項６】
アンテナ基板と、このアンテナ基板上に間に間隙部を有しつつ配置した同一面積で長方形状の第１フラット導体パターン、第２フラット導体パターンと、
第１フラット導体パターン、第２フラット導体パターンの端部同士を接続する接続導体パターンと、前記接続導体パターンとは反対側の第１フラット導体パターン、第２フラット導体パターンに設けた電流供給部とを有し、
前記電流供給部を経ての電流供給により前記第１フラット導体パターン、第２フラット導体パターン上に間隙部を境界として分布する立面磁界を生成し、前記第１フラット導体パターン、第２フラット導体パターン上に配置されるＲＦタグとの間で無線交信を行う構成としたことを特徴とするフラットアンテナ。
【請求項７】
アンテナ基板と、このアンテナ基板上に間に間隙部を有しつつ配置した面積が異なる長方形状の第１フラット導体パターン、第２フラット導体パターンと、第１フラット導体パターン、第２フラット導体パターンの端部同士を接続する接続導体パターンと、前記接続導体パターンとは反対側の第１フラット導体パターン、第２フラット導体パターンに設けた一対の電流供給部とを有し、
前記一対の電流供給部を経ての電流供給により前記第１フラット導体パターン、第２フラット導体パターン上に間隙部を境界として分布する立面磁界を生成し、前記第１フラット導体パターン、第２フラット導体パターン上に配置されるＲＦタグとの間で無線交信を行う構成としたことを特徴とするフラットアンテナ。
【考案の詳細な説明】
【技術分野】
【０００１】
本考案は、フラットアンテナに関し、詳しくは、例えばＲＦＩＤシステムを構成するＲＦタグとの間で無線交信を行うフラットアンテナに関するものである。
【背景技術】
【０００２】
例えば、図書館等における蔵書管理システム等の分野で、書籍等に取り付けたＲＦタグ「ＲＦＩＤ（Ｒａｄｉｏ  Ｆｒｅｑｕｅｎｃｙ  Ｉｄｅｎｔｉｆｉｃａｔｉｏｎ）タグ」と、書籍棚上に配置したフラットアンテナとの間で無線交信を行い、更にリーダーライタによりＲＦタグのタグ情報を読み取ることで、多数の書籍の書籍棚に対する出入管理を行うようなシステムが実用化されている。
【０００３】
このようなＲＦタグ、フラットアンテナ、リーダーライタを利用したＲＦＩＤシステムは、各種物品の物流分野、各種物品を製造する工場等の製造分野等で広範に応用されている。
【０００４】
しかし、このようなＲＦＩＤシステムに適用されるフラットアンテナの従来分野において、簡略な一枚構成で、多数のＲＦタグに対する情報の読み取り又は書き込み処理のための交信を確実に実行し得るフラットアンテナは見当たらないのが現状である。
【０００５】
特許文献１，特許文献２，特許文献３，特許文献４には、単独のＲＦタグとのデーター交信を無指向性物で行えるアンテナが提案されている。
【０００６】
この特許文献１，特許文献２，特許文献３，特許文献４のアンテナは単独のＲＦタグとの間で交信を行える物であって、複数のＲＦタグに対してデーター交信を確実に実行し得る物ではなかった。
【特許文献１】特開２００７−１８１１３号公報
【特許文献２】登録実用新案第３１３８９８４号公報
【特許文献３】登録実用新案第３１３９４４２号公報
【特許文献４】登録実用新案第３１３９４４６号公報
【考案の開示】
【考案が解決しようとする課題】
【０００７】
本考案が解決しようとする問題点は、簡略な一枚構成で、多数のＲＦタグに対する情報の読み取り又は書き込み処理のための無線交信を確実に実行し得るフラットアンテナが存在しない点である。
【課題を解決するための手段】
【０００８】
本考案に係るフラットアンテナは、アンテナ基板と、このアンテナ基板上に間に間隙部を有しつつ配置した第１フラット導体パターン、第２フラット導体パターンと、第１フラット導体パターン、第２フラット導体パターンの端部同士を接続する接続導体パターンと、前記接続導体パターンとは反対側の第１フラット導体パターン、第２フラット導体パターンに設けた一対の電流供給部とを有し、前記一対の電流供給部を経ての電流供給により前記第１フラット導体パターン、第２フラット導体パターン上に間隙部を境界として分布する立面磁界を生成し、前記第１フラット導体パターン、第２フラット導体パターン上に配置されるＲＦタグ、特に、垂直方向に配置される多数のＲＦタグとの間で無線交信を行う構成としたことを最も主要な特徴とする。
【考案の効果】
【０００９】
請求項１記載の考案によれば、第１フラット導体パターン、第２フラット導体パターン上に、間隙部を境界として分布する立面磁界を生成し、これらの上に配置されるＲＦタグ、特に、垂直方向に配置される多数のＲＦタグに対する情報の読み取り、又は書き込み処理のための無線交信を確実に実行することができるフラットアンテナを提供することができる。
【００１０】
請求項２記載の考案によれば、面積が異なる長方形状の第１フラット導体パターン、第２フラット導体パターンを有する構成の基に、カプラ部、一対の電流供給部を経ての電流供給により、第１フラット導体パターン、第２フラット導体パターン上に間隙部を境界として分布する立面磁界を生成し、これらの上に配置されるＲＦタグ、特に、垂直方向に配置される多数のＲＦタグに対する情報の読み取り又は書き込み処理のための無線交信を確実に実行することができるフラットアンテナを提供することができる。
【００１１】
請求項３記載の考案によれば、面積が異なる長方形状の第１フラット導体パターン、第２フラット導体パターンを備え、アンテナ基板とは別体のカプラ部を設けた構成の基に、カプラ部、一対の電流供給部を経ての電流供給により、第１フラット導体パターン、第２フラット導体パターン上に間隙部を境界として分布する立面磁界を生成し、これらの上に配置されるＲＦタグ、特に、垂直方向に配置される多数のＲＦタグに対する情報の読み取り又は書き込み処理のための無線交信を確実に実行することができるフラットアンテナを提供することができる。
【００１２】
請求項４記載の考案によれば、同一面積の第１フラット導体パターン、第２フラット導体パターンを備え、アンテナ基板とは別体のカプラ部を設けた構成の基に、カプラ部、一対の電流供給部を経ての電流供給により、第１フラット導体パターン、第２フラット導体パターン上に間隙部を境界として分布する立面磁界を生成し、これらの上に配置されるＲＦタグ、特に、垂直方向に配置される多数のＲＦタグに対する情報の読み取り又は書き込み処理のための無線交信を確実に実行することができるフラットアンテナを提供することができる。
【００１３】
請求項５記載の考案によれば、同一面積の第１フラット導体パターン、第２フラット導体パターンを備え、アンテナ基板上にカプラ部を備えた構成の基に、カプラ部、一対の電流供給部を経ての電流供給により、第１フラット導体パターン、第２フラット導体パターン上に間隙部を境界として分布する立面磁界を生成し、これらの上に配置されるＲＦタグ、特に、垂直方向に配置される多数のＲＦタグに対する情報の読み取り又は書き込み処理のための無線交信を確実に実行することができるフラットアンテナを提供することができる。
【００１４】
請求項６記載の考案によれば、同一面積で長方形状の第１フラット導体パターン、第２フラット導体パターンを備えた構成の基に、カプラ部、一対の電流供給部を経ての電流供給により、第１フラット導体パターン、第２フラット導体パターン上に間隙部を境界として分布する立面磁界を生成し、これらの上に配置されるＲＦタグ、特に、垂直方向に配置される多数のＲＦタグに対する情報の読み取り又は書き込み処理のための無線交信を確実に実行することができるフラットアンテナを提供することができる。
【００１５】
請求項７記載の考案によれば、面積が異なる長方形状の第１フラット導体パターン、第２フラット導体パターンを備えた構成の基に、カプラ部、一対の電流供給部を経ての電流供給により、第１フラット導体パターン、第２フラット導体パターン上に間隙部を境界として分布する立面磁界を生成し、これらの上に配置されるＲＦタグ、特に、垂直方向に配置される多数のＲＦタグに対する情報の読み取り又は書き込み処理のための無線交信を確実に実行することができるフラットアンテナを提供することができる。
【考案を実施するための最良の形態】
【００１６】
本考案は、簡略な一枚構成で、多数のＲＦタグに対する情報の読み取り又は書き込み処理のための交信を確実に実行し得るフラットアンテナを提供するという目的を有するものである。
【００１７】
本考案に係るフラットアンテナは、アンテナ基板と、このアンテナ基板上に間に間隙部を有しつつ配置した長方形状の第１フラット導体パターン、第２フラット導体パターンと、第１フラット導体パターン、第２フラット導体パターンの端部同士を接続する接続導体パターンと、前記接続導体パターンとは反対側の第１フラット導体パターン、第２フラット導体パターンに設けた一対の電流供給部と、フラットアンテナ自体のインピーダンス調整を行うカプラ部とを有し、前記カプラ部、一対の電流供給部を経ての電流供給により前記第１フラット導体パターン、第２フラット導体パターン上に間隙部を境界として分布する立面磁界を生成し、前記第１フラット導体パターン、第２フラット導体パターン上に配置されるＲＦタグとの間で無線交信を行う構成により上記目的を実現した。
【００１８】
また、本考案に係るフラットアンテナは、ハンディタイプ，仕切り埋め込みタイプ，棚内蔵タイプ，据置タイプと様々なアンテナとして組み込みが可能である。
【実施例】
【００１９】
以下に、本考案の実施例に係るフラットアンテナについて詳細に説明する。
【００２０】
（実施例１）
最初に、本考案の実施例１に係るフラットアンテナ１の理論的説明を行う。
【００２１】
本実施例１のフラットアンテナ１は、図１０に示すように、アンテナ基板２上に、間隙部６を設けつつ配置した第１フラット導体パターン３、第２フラット導体パターン４と、これらの端部同士を接続する接続導体パターン５を有して構成され、接続導体パターン５とは反対側の第１フラット導体パターン３、第２フラット導体パターン４の側面に電流供給部３ａ、４ａを設けて構成され、側面の電流供給部３ａ、４ａを通じて電流を流すことにより、第１フラット導体パターン３、第２フラット導体パターン４の面に沿った方向に引き伸ばした楕円形の磁界を生成して、フラットアンテナ１上に配置するＲＦタグＴのタグアンテナに磁界を鎖交させてＲＦタグＴを活性化（ＲＦタグＴのＩＣチップを動作）させるように構成したものである。
【００２２】
すなわち、図１１に示すように、例えば第２フラット導体パターン４においては、電流供給部４ａからこの第２１フラット導体パターン４を経て接続導体パターン５の方向に電流が流れ、これにより、第２フラット導体パターン４を横方向から見た場合、図１２に示すような円形状の磁界が生成し、この結果第２フラット導体パターン４全体としては、横方向から見た場合図１３に示すような楕円形状を呈する合成磁界を生成する。
【００２３】
更に詳述すると、本実施例１のフラットアンテナ１では、図示しないリーダーライタから出力される１３．５６ＭＨｚの交流電源を使用し、前記電流供給部３ａ、４ａを通じて第１フラット導体パターン３、第２フラット導体パターン４に電流を流すことにより、第１フラット導体パターン３、第２フラット導体パターン４の電流分布は図１４に示すようになり、第１フラット導体パターン３と、第２フラット導体パターン４とでは反対方向に流れる。
【００２４】
これにより、第１フラット導体パターン３、第２フラット導体パターン４の磁界分布は図１５に示すようになり、磁界の方向も反対方向となる。
【００２５】
そして、前記間隙部６上では、磁界の方向はフラットアンテナ１の上面に対して垂直方向となる。
【００２６】
本実施例１のフラットアンテナ１において、ＲＦタグＴを図１４、図１５に示すようにフラットアンテナ１の上方で電流の流れる方向に沿って垂直に立てて並べた場合、第１フラット導体パターン３、第２フラット導体パターン４の上方ではＲＦタグＴのタグアンテナに対して第１フラット導体パターン３、第２フラット導体パターン４が生成する磁界が直角又は略直角に鎖交し、タグアンテナを磁界が通過する状態になってＲＦタグＴが動作（起電）状態となり、フラットアンテナ１とＲＦタグＴとの間で、無線で交信可能となる。
【００２７】
他方、間隙部６の上方では、タグアンテナに対して第１フラット導体パターン３、第２フラット導体パターン４が生成する磁界が平行方向となって鎖交しない状態となり、ＲＦタグＴが動作状態に転じなくなり、交信ができないことになる。
【００２８】
以上から、本実施例１のフラットアンテナ１においては、ＲＦタグＴをフラットアンテナ１の上方で電流の流れる方向に沿って垂直に立てて並べた場合、第１フラット導体パターン３、第２フラット導体パターン４の上方では交信可能状態となり、間隙部６の上方では交信不能の状態となる。
【００２９】
次に、本実施例１に係るフラットアンテナ１の具体的実施例について図１乃至図９を参照して説明する。
【００３０】
本実施例１に係るフラットアンテナ１は、図１に示すように、絶縁材により形成した平面長方形状のアンテナ基板２と、このアンテナ基板２上に間に間隙部６を有しつつ配置した同一面積を有し銅箔等のような導電材からなる長方形状の第１フラット導体パターン３、第２フラット導体パターン４と、前記第１フラット導体パターン３、第２フラット導体パターン４の端部同士を接続する銅箔等のような導電材からなる接続導体パターン５と、前記接続導体パターン５とは反対側の第１フラット導体パターン３、第２フラット導体パターン４に設けた一対の電流供給部３ａ、４ａと、アンテナ基板２上に設けられフラットアンテナ１自体のインピーダンス調整を行う図示しないがコイル、コンデンサを搭載したカプラ部７とを有している。
【００３１】
そして、図示しないリーダーライタから前記カプラ部７、一対の電流供給部３ａ、４ａを経ての電流供給により前記第１フラット導体パターン３、第２フラット導体パターン４上に間隙部６を境界として分布する立面磁界を生成し、前記第１フラット導体パターン３、第２フラット導体パターン４上に配置される多数のＲＦタグＴ、特に前記第１フラット導体パターン３、第２フラット導体パターン４上に垂直方向に配置される多数のＲＦタグＴとの間で情報伝達のための無線交信を行うように構成している。
【００３２】
前記第１フラット導体パターン３は、第２フラット導体パターン４と同一面積に設定している。
【００３３】
次に、本実施例１に係るフラットアンテナ１の詳細な構成、生成する磁界の強度の測定実験例について説明する。
【００３４】
本実施例１に係るフラットアンテナ１の寸法としては、例えばＷ２７０×Ｄ２８５（２３０）×Ｈ３５（１０）（但し、かっこ内はアンテナ部、単位ｍｍ、突起（ＢＮＣコネクタ）含まず）の例を挙げることができる。
【００３５】
このフラットアンテナ１が生成する磁界の強度を測定する機器類としては、オムロン株式会社製ロングレンジリーダーライタ（Ｖ７２０  ＢＣ５Ｄ４）、評価用デモアプリ（ＲＦタグ３００枚表示版）、磁界強度測定器を採用した。
【００３６】
また、検証方法として、以下の二つの方法で最適な利得がフラットアンテナ１から得られるようにカプラ部７の調整を行い、磁界強度の測定を実施した。
（１）ＲＦタグをフラットアンテナ上に０枚（無負荷状態）での測定
（２）ＲＦタグをフラットアンテナ上に２５０枚配置した状態での測定
【００３７】
更に、磁界強度の測定位置としては、図２に点線で示すように左右方向（Ｘ軸方向）６３箇所（５ｍｍ間隔）で、かつ、フラットアンテナから１．５ｃｍ外より測定し、また前後方向（Ｙ軸方向）には図２に点線で示すように３箇所測定した。また、観測時は無負荷（磁界強度測定器のみ）とし、ＲＦタグの計測角度はアンテナ面に対し垂直とした。
【００３８】
図３に無負荷のときとＲＦタグを２５０枚配置したときの磁界強度の変化の状態を数値を主にして示す。図４にフラットアンテナ１上の中央部、全面でのデッドスペースの確認状態を示す。図５にフラットアンテナ１上のＲＦタグの読み取り範囲の目安を区分けして示す。
【００３９】
以上から、フラットアンテナ１上のカプラ部７付近は全面でＲＦタグを感知したが、中央部は外側２０ｍｍの範囲は感知せず、また、カプラ部７から離れた場所では外側４０ｍｍの範囲は感知しないことが判明した。また、ＲＦタグの感知はアンテナ上のみで、アンテナを外れたＲＦタグは感知されない特性を有している。
【００４０】
上述した（１）の場合の磁界の測定結果を図６、図７に、また、（２）の場合の磁界の測定結果を図８、図９に各々示す。これらの図面より、２５０枚配置した状態においても、無負荷状態と同様なフラットな形状の磁界強度を維持していることが確認できる。
【００４１】
本実施例１に係るフラットアンテナ１によれば、前記カプラ部７、一対の電流供給部３ａ、４ａを経ての電流供給により第１フラット導体パターン３、第２フラット導体パターン４上に間隙部６を境界として分布する立面磁界を生成し、前記第１フラット導体パターン３、第２フラット導体パターン４上に配置されるＲＦタグＴ、特に、前記第１フラット導体パターン３、第２フラット導体パターン４の面に対して垂直方向に配置される多数のＲＦタグＴに対する情報の読み取り又は書き込み処理のための無線交信を確実に実行することができる。
【００４２】
（実施例２）
次に、ハンディタイプへの組み込み例として本考案の実施例２に係るフラットアンテナ１Ａについて図１６乃至図１８を参照して説明する。
【００４３】
なお、本実施例２のフラットアンテナ１Ａにおいて、実施例１の場合と同一の要素には同一の符号を付して示す。また、図１６はフラットアンテナ１Ａの正面図、図１７は平面図、図１８は側面図である。
【００４４】
本実施例２に係るフラットアンテナ１Ａは、図１６乃至図１８に示すように、実施例１の場合と同様、アンテナ基板２と、このアンテナ基板２上に間に間隙部６を有しつつ配置した面積が異なる長方形状の第１フラット導体パターン３、第２フラット導体パターン４と、第１フラット導体パターン３、第２フラット導体パターン４の端部同士を接続する接続導体パターン５と、前記接続導体パターン５とは反対側の第１フラット導体パターン３、第２フラット導体パターン４に設けた一対の電流供給部３ａ、４ａと、前記アンテナ基板２上に配置したフラットアンテナ１Ａ自体のインピーダンス調整を行うカプラ部７とを有している。
【００４５】
前記第１フラット導体パターン３は、第２フラット導体パターン４よりも狭面積に設定している。
【００４６】
そして、図示しないリーダーライタから前記カプラ部７、一対の電流供給部３ａ、４ａを経ての電流供給により前記第１フラット導体パターン３、第２フラット導体パターン４上に間隙部６を境界として分布する実施例１の場合と同様な立面磁界を生成し、前記第１フラット導体パターン３、第２フラット導体パターン４上に配置される多数のＲＦタグＴとの間で情報伝達のための無線交信を行うように構成している。
【００４７】
本実施例２に係るフラットアンテナ１Ａによれば、実施例１の場合と同様、前記カプラ部７、一対の電流供給部３ａ、４ａを経ての電流供給により第１フラット導体パターン３、第２フラット導体パターン４上に間隙部６を境界として分布する立面磁界を生成し、前記第１フラット導体パターン３、第２フラット導体パターン４上に配置されるＲＦタグＴ、特に、前記第１フラット導体パターン３、第２フラット導体パターン４の面に対して垂直方向に配置される多数のＲＦタグＴに対する情報の読み取り又は書き込み処理のための無線交信を確実に実行することができる。また、本ハンディアンテナは、グリップ部とアンテナ部のジョイント部分が可動式となっており、かざしたり、差し込んだりすることが可能である特徴を有している。
【００４８】
（実施例３）
次に、仕切り埋め込みタイプ（重要書類管理向け）への組み込み例として本考案の実施例３に係るフラットアンテナ１Ｂについて図１９、図２０を参照して説明する。
【００４９】
なお、本実施例３のフラットアンテナ１Ｂにおいて、実施例１の場合と同一の要素には同一の符号を付して示す。また、図１９はカプラ部７を別体構成としたフラットアンテナ１Ｂの正面図、図２０はカプラ部７の側面図である。
【００５０】
本実施例３に係るフラットアンテナ１Ａは、図１９、図２０に示すように、実施例１の場合と同様、アンテナ基板２と、このアンテナ基板２上に間に間隙部６を有しつつ配置した面積が異なる長方形状の第１フラット導体パターン３、第２フラット導体パターン４と、第１フラット導体パターン３、第２フラット導体パターン４の端部同士を接続する接続導体パターン５と、前記接続導体パターン５とは反対側の第１フラット導体パターン３、第２フラット導体パターン４に設けた一対の電流供給部３ａ、４ａと、前記アンテナ基板２とは別体でフラットアンテナ１Ｂ自体のインピーダンス調整を行うカプラ部７とを有している。
【００５１】
前記アンテナ基板２側には、カプラ部７との接続具８を設けている。また、カプラ部７は、接続具８用の接続受部７ａ、図示しないリーダーライタとの接続のため接続受部７ｂ、上下配置の着脱可能なブラケット板９、１０等も具備し、ブラケット板９、１０を外して図示しない例えば書籍用の棚板に取り付けることも可能な構成としている。前記第１フラット導体パターン３は、第２フラット導体パターン４よりも広面積に設定している。
【００５２】
そして、図示しないリーダーライタから前記カプラ部７、一対の電流供給部３ａ、４ａを経ての電流供給により前記第１フラット導体パターン３、第２フラット導体パターン４上に間隙部６を境界として分布する実施例１の場合と同様な立面磁界を生成し、前記第１フラット導体パターン３、第２フラット導体パターン４上に配置されるＲＦタグＴとの間で情報伝達のための無線交信を行うように構成している。
【００５３】
本実施例３に係るフラットアンテナ１Ｂによれば、実施例１の場合と同様、前記カプラ部７、一対の電流供給部３ａ、４ａを経ての電流供給により第１フラット導体パターン３、第２フラット導体パターン４上に間隙部６を境界として分布する立面磁界を生成し、前記第１フラット導体パターン３、第２フラット導体パターン４上に配置されるＲＦタグＴ、特に、前記第１フラット導体パターン３、第２フラット導体パターン４の面に対して垂直方向に配置される多数のＲＦタグＴに対する情報の読み取り又は書き込み処理のための無線交信を確実に実行することができる。
【００５４】
（実施例４）
次に、棚内蔵タイプ（マイクロフィルム管理向け）への組み込み例として本考案の実施例４に係るフラットアンテナ１Ｃについて図２１、図２２を参照して説明する。
【００５５】
なお、本実施例４のフラットアンテナ１Ｃにおいて、実施例１の場合と同一の要素には同一の符号を付して示す。また、図２１はカプラ部７を別体構成としたフラットアンテナ１Ｃの正面図、図２２はカプラ部７の側面図である。
【００５６】
本実施例４に係るフラットアンテナ１Ｃは、図２１、図２２に示すように、実施例１の場合と同様、アンテナ基板２と、このアンテナ基板２上に間に間隙部６を有しつつ配置した同一面積で長方形状の第１フラット導体パターン３、第２フラット導体パターン４と、第１フラット導体パターン３、第２フラット導体パターン４の端部同士を接続する接続導体パターン５と、前記接続導体パターン５とは反対側の第１フラット導体パターン３、第２フラット導体パターン４に設けた一対の電流供給部３ａ、４ａと、前記アンテナ基板２とは別体でフラットアンテナ１Ｂ自体のインピーダンス調整を行う実施例３のカプラ部７と同一構成のカプラ部７とを有している。
【００５７】
前記アンテナ基板２側には、カプラ部７との接続具８を設けている。また、カプラ部７は、接続具８用の接続受部７ａ、図示しないリーダーライタとの接続のため接続受部７ｂ、上下配置の着脱可能なブラケット板９、１０等も具備し、ブラケット板９、１０を外して図示しない例えば書籍用の棚板に取り付けることも可能な構成としている。
【００５８】
そして、図示しないリーダーライタから前記カプラ部７、一対の電流供給部３ａ、４ａを経ての電流供給により前記第１フラット導体パターン３、第２フラット導体パターン４上に間隙部６を境界として分布する実施例１の場合と同様な立面磁界を生成し、前記第１フラット導体パターン３、第２フラット導体パターン４上に配置されるＲＦタグＴとの間で情報伝達のための無線交信を行うように構成している。
【００５９】
本実施例４に係るフラットアンテナ１Ｃによれば、実施例１の場合と同様、前記カプラ部７、一対の電流供給部３ａ、４ａを経ての電流供給により第１フラット導体パターン３、第２フラット導体パターン４上に間隙部６を境界として分布する立面磁界を生成し、前記第１フラット導体パターン３、第２フラット導体パターン４上に配置されるＲＦタグＴ、特に、前記第１フラット導体パターン３、第２フラット導体パターン４の面に対して垂直方向に配置される多数のＲＦタグＴに対する情報の読み取り又は書き込み処理のための無線交信を確実に実行することができる。
【００６０】
（実施例５）
次に、据置タイプ（磁気記録媒体管理向け）への組み込み例として本考案の実施例５に係るフラットアンテナ１Ｄについて図２３、図２４を参照して説明する。
【００６１】
なお、本実施例５のフラットアンテナ１Ｄにおいて、実施例１の場合と同一の要素には同一の符号を付して示す。また、図２３はフラットアンテナ１Ｃの正面図、図２４はフラットアンテナ１Ｃの平面図である。
【００６２】
本実施例５に係るフラットアンテナ１Ｄは、図２３、図２４に示すように、実施例１の場合と同様、アンテナ基板２と、このアンテナ基板２上に間に間隙部６を有しつつ配置した同一面積で長方形状の第１フラット導体パターン３、第２フラット導体パターン４と、第１フラット導体パターン３、第２フラット導体パターン４の端部同士を接続する接続導体パターン５と、前記接続導体パターン５とは反対側の第１フラット導体パターン３、第２フラット導体パターン４に設けた一対の電流供給部３ａ、４ａと、前記アンテナ基板２上に配置したフラットアンテナ１自体のインピーダンス調整を行うカプラ部７とを有している。
【００６３】
前記カプラ部７側には、図示しないリーダーライタとの接続のため接続具８を設けている。
【００６４】
そして、図示しないリーダーライタから前記カプラ部７、一対の電流供給部３ａ、４ａを経ての電流供給により前記第１フラット導体パターン３、第２フラット導体パターン４上に間隙部６を境界として分布する実施例１の場合と同様な立面磁界を生成し、前記第１フラット導体パターン３、第２フラット導体パターン４上に配置されるＲＦタグＴとの間で情報伝達のための無線交信を行うように構成している。
【００６５】
本実施例５に係るフラットアンテナ１Ｄによれば、実施例１の場合と同様、前記カプラ部７、一対の電流供給部３ａ、４ａを経ての電流供給により第１フラット導体パターン３、第２フラット導体パターン４上に間隙部６を境界として分布する立面磁界を生成し、前記第１フラット導体パターン３、第２フラット導体パターン４上に配置されるＲＦタグＴ、特に、前記第１フラット導体パターン３、第２フラット導体パターン４の面に対して垂直方向に配置される多数のＲＦタグＴに対する情報の読み取り又は書き込み処理のための無線交信を確実に実行することができる。
【００６６】
（実施例６）
次に、対称形アンテナ形状例として本考案の実施例６に係るフラットアンテナ１Ｅについて図２５を参照して説明する。
【００６７】
なお、本実施例６のフラットアンテナ１Ｅにおいて、実施例１の場合と同一の要素には同一の符号を付して示す。
【００６８】
本実施例６に係るフラットアンテナ１Ｄは、図２５に示すように、実施例１の場合と同様なアンテナ基板２と、このアンテナ基板２上に間に間隙部６を有しつつ配置した同一面積で長方形状の第１フラット導体パターン１１、第２フラット導体パターン１２と、前記第１フラット導体パターン１１、第２フラット導体パターン１２の端部同士を接続する接続導体パターン１３と、前記接続導体パターン１３とは反対側の第１フラット導体パターン１１、第２フラット導体パターン１２の隣接部分に設けた電流供給部１１ａ，１２ａとを有している。
【００６９】
前記電流供給部１１ａ，１２ａは、図示しないリーダーライタ、カプラ部を経て給電される電流を前記第１フラット導体パターン１１、接続導体パターン１３、第２フラット導体パターン１２に循環させ、これにより前記第１フラット導体パターン１１、第２フラット導体パターン１２上に間隙部６を境界として分布する実施例１の場合と同様な立面磁界を生成し、前記第１フラット導体パターン１１、第２フラット導体パターン１２上に配置されるＲＦタグＴとの間で無線交信を行うように構成している。
【００７０】
本実施例６に係るフラットアンテナ１Ｅによれば、実施例１の場合と同様、図示しないリーダーライタ、カプラ部を経て給電される電流を前記電流供給部１１ａ，１２ａを経て前記第１フラット導体パターン１１、接続導体パターン１３、第２フラット導体パターン１２に循環させることにより、前記第１フラット導体パターン１１、第２フラット導体パターン１２上に配置されるＲＦタグＴ、特に、前記第１フラット導体パターン１１、第２フラット導体パターン１２の面に対して垂直方向に配置される多数のＲＦタグＴに対する情報の読み取り又は書き込み処理のための無線交信を確実に実行することができる。
【００７１】
（実施例７）
次に、非対称形アンテナ形状例として本考案の実施例７に係るフラットアンテナ１Ｆについて図２６を参照して説明する。
【００７２】
なお、本実施例７のフラットアンテナ１Ｆにおいて、実施例１の場合と同一の要素には同一の符号を付して示す。
【００７３】
本実施例７に係るフラットアンテナ１Ｆは、図２６に示すように、実施例１の場合と同様なアンテナ基板２と、このアンテナ基板２上に間に間隙部６を有しつつ配置した面積が異なる長方形状の第１フラット導体パターン２１、第２フラット導体パターン２２と、第１フラット導体パターン２１、第２フラット導体パターン２２の端部同士を接続する接続導体パターン２３と、前記接続導体パターン２３とは反対側の第１フラット導体パターン２１、第２フラット導体パターン２２に設けた一対の電流供給部２１ａ、２２ａとを有している。前記第１フラット導体パターン２１は、第２フラット導体パターン２２よりも広面積に設定している。
【００７４】
そして、図示しないリーダーライタ、カプラ部から一対の電流供給部２１ａ、２２ａを経ての電流供給により前記第１フラット導体パターン２１、第２フラット導体パターン２２上に間隙部６を境界として分布する実施例１の場合と同様な立面磁界を生成し、前記第１フラット導体パターン２１、第２フラット導体パターン２２上に配置されるＲＦタグＴとの間で情報伝達のための無線交信を行うように構成している。
【００７５】
本実施例７に係るフラットアンテナ１Ｆによれば、実施例１の場合と同様、図示しないリーダーライタ、カプラ部を経て給電される電流を前記電流供給部２１ａ、２２ａを経て前記第１フラット導体パターン２１、接続導体パターン２３、第２フラット導体パターン２２に流すことにより、前記第１フラット導体パターン２１、第２フラット導体パターン２２上に配置されるＲＦタグＴ、特に、前記第１フラット導体パターン２１、第２フラット導体パターン２２上に垂直配置される多数のＲＦタグＴに対する情報の読み取り又は書き込み処理のための無線交信を確実に実行することができる。
【産業上の利用可能性】
【００７６】
本考案のフラットアンテナは、例えば工場、倉庫等における各種物品の物流管理システム、宅配物品の管理システム、図書館等における蔵書管理システム等におけるＲＦタグとの交信用アンテナとして広範に応用可能である。
【図面の簡単な説明】
【００７７】
【図１】本考案の実施例１に係るフラットアンテナの概略平面図である。
【図２】本実施例１に係るフラットアンテナにおける磁界強度の測定位置を示す説明図である。
【図３】本実施例１に係るフラットアンテナにおける無負荷のときとＲＦタグを２５０枚配置したときの磁界強度の変化の状態を数値を主にして示す説明図である。
【図４】本実施例１に係るフラットアンテナにおけるフラットアンテナ上の中央部、全面でのデッドスペースの確認状態を示す説明図である。
【図５】本実施例１に係るフラットアンテナにおけるフラットアンテナ上のＲＦタグの読み取り範囲の目安を区分けして示す説明図である。
【図６】本実施例１に係るフラットアンテナにおける無負荷のときのフラットアンテナ上の磁界分布を示す斜視図である。
【図７】本実施例１に係るフラットアンテナにおける無負荷のときのフラットアンテナ上の磁界分布を示す平面図である。
【図８】本実施例１に係るフラットアンテナにおけるＲＦタグを２５０枚配置したときのフラットアンテナ上の磁界分布を示す斜視図である。
【図９】本実施例１に係るフラットアンテナにおけるＲＦタグを２５０枚配置したときのフラットアンテナ上の磁界分布を示す平面図である。
【図１０】本実施例１に係るフラットアンテナの理論的説明を行うための概略平面図である。
【図１１】本実施例１に係るフラットアンテナにおける第１フラット導体パターンに流れる電流を示す概略説明図である。
【図１２】本実施例１に係るフラットアンテナにおける第１フラット導体パターンにより生成される磁界の概略説明図である。
【図１３】本実施例１に係るフラットアンテナにおける第１フラット導体パターンにより生成される合成磁界の概略説明図である。
【図１４】本実施例１に係るフラットアンテナにおける第１フラット導体パターン、第２フラット導体パターンに流れる電流の方向を示す概略説明図である。
【図１５】本実施例１に係るフラットアンテナにおける第１フラット導体パターン、第２フラット導体パターンが生成する磁界の方向を示す概略説明図である。
【図１６】本考案の実施例２に係るフラットアンテナの概略平面図である。
【図１７】本実施例２に係るフラットアンテナの概略平面図である。
【図１８】本実施例２に係るフラットアンテナの概略平面図である。
【図１９】本考案の実施例３に係るカプラ部別体構成のフラットアンテナの概略正面図である。
【図２０】本実施例３に係るカプラ部の概略側面図である。
【図２１】本考案の実施例４に係るカプラ部別体構成のフラットアンテナの概略正面図である。
【図２２】本実施例４に係るカプラ部の概略側面図である。
【図２３】本考案の実施例５に係るフラットアンテナの概略正面図である。
【図２４】本実施例５に係るフラットアンテナの概略平面図である。
【図２５】本考案の実施例６に係るフラットアンテナの概略平面図である。
【図２６】本考案の実施例７に係るフラットアンテナの概略平面図である。
【符号の説明】
【００７８】
１    フラットアンテナ
１Ａ  フラットアンテナ
１Ｂ  フラットアンテナ
１Ｃ  フラットアンテナ
１Ｄ  フラットアンテナ
１Ｅ  フラットアンテナ
１Ｆ  フラットアンテナ
２    アンテナ基板
３    第１フラット導体パターン
３ａ  電流供給部
４    第２フラット導体パターン
４ａ  電流供給部
５    接続導体パターン
６    間隙部
７    カプラ部
７ａ  接続受部
７ｂ  接続受部
８    接続具
９    ブラケット板
１０    ブラケット板
１１    第１フラット導体パターン
１１ａ  電流供給部
１２    第２フラット導体パターン
１２ａ  電流供給部
１３    接続導体パターン
２１    第１フラット導体パターン
２１ａ  電流供給部
２２    第２フラット導体パターン
２２ａ  電流供給部
２３    接続導体パターン
Ｔ    ＲＦタグ
【図１】
0003148057.tif 000003
【図２】
0003148057.tif 000004
【図３】
0003148057.tif 000005
【図４】
0003148057.tif 000006
【図５】
0003148057.tif 000007
【図１０】
0003148057.tif 000008
【図１１】
0003148057.tif 000009
【図１２】
0003148057.tif 000010
【図１３】
0003148057.tif 000011
【図１４】
0003148057.tif 000012
【図１５】
0003148057.tif 000013
【図１６】
0003148057.tif 000014
【図１７】
0003148057.tif 000015
【図１８】
0003148057.tif 000016
【図１９】
0003148057.tif 000017
【図２０】
0003148057.tif 000018
【図２１】
0003148057.tif 000019
【図２２】
0003148057.tif 000020
【図２３】
0003148057.tif 000021
【図２４】
0003148057.tif 000022
【図２５】
0003148057.tif 000023
【図２６】
0003148057.tif 000024
【図６】
0003148057.tif 000025
【図７】
0003148057.tif 000026
【図８】
0003148057.tif 000027
【図９】
0003148057.tif 000028